(57)【要約】      （修正有）【課題】スノーボードのソフトブーツをブーツホルダーに固定して、該ブーツホルダーをスリップオン受具に着脱させる方式のスリップオンバインディングにおいて、ブーツホルダーに取り付けたリリーサーとそれに取っ手を組み合わせた引き紐とを用いる事により立ったままスノーボードから片方の足を外す事を可能とする。【解決手段】ブーツホルダーに取り付けたリリーサーを紐、ワイヤー等を介して作動させ、リリーサーピン４を動かすことにより開放レバーＡを操作する。開放レバーをリリーサーを介して作動させる事により、開放レバーを小さく構成することが可能となり、立ったまま楽にリリースすることを可能とした。【選択図】図１
2006288850.tif 000002
【特許請求の範囲】
【請求項１】
ソフトブーツに取り付けるブーツホルダーを、スノーボードに固定したスリップオン受具に着脱させる形式のスノーボード用スリップオンバインディングにおいて、ブーツホルダーに取り付けたリリーサーを操作して、スリップオン受具の開放レバー（Ａ）を連動させ、ブーツホルダーを離脱させる事を特徴としたスリップオン受具の開放レバー操作方法。
【請求項２】
外周に設けられた溝に沿ってリリーサーワイヤ（６)を巻きつけ、一端をリリーサーワイヤ止め（８）に、他端をリリーサー紐受具（５）にしかるべく連結し、かつ、内側の側面にスプリングを組み合わせたリリーサー回転盤（２）を、リリーサー回転盤軸（３）を介してリリーサー基盤（１）に組み合わせる。前記リリーサー回転盤（２）にリリーサーピン（４）を設け、次にリリーサー紐受具（５）に一端を結び、他端にリリーサー取手（Ｌ)を連結した紐を組み合わせた事を特徴とした特許請求の範囲第１項によるところのスリップオン受具の開放レバー操作器具。
【請求項３】
中間位置に軸受け部を設けたリリーサーピン固定竿（９）の一端にリリーサーピン（４）を設け、他端にリリーサー紐受具（５）にしかるべく連結たリリーサーワイヤ（６）、または、コネクティングロッド（１０）を組み合わせて、リリーサー回転盤軸（３）を介してリリーサー基盤（１）に組み合わせ、リリーサー紐受具（５）に一端を結び、他端にリリーサー取手（Ｌ)を連結した紐を取り付けた事を特徴とした特許請求の範囲第１項、及び第２項によるところのスリップオン受具の開放レバー操作器具。
【請求項４】
柔軟なパイプにワイヤーを通した構成であるカバー付ワイヤー（Ｍ）の一端にリリーサー取手（Ｌ）を設け、他端をリリーサー紐受具（５）に連結し、保持ベルト（Ｎ）を組み合わせた事を特徴とした特許請求の範囲第１項、第２項および第３項のスリップオン受具の開放レバー操作器具。
【発明の詳細な説明】
【技術分野】
【０００１】
本発明はソフトブーツと呼ばれる、比較的底部も柔らかい靴を利用するタイプのスノーボードのバインディングにおいて利用される発明である。スリップオンと呼ばれるバインディングは、通常はスノーボードに直接固定されていたバインディングを、自在にスノーボードに着脱させる方式であり、市販のソフトブーツをそのまま利用できる特徴があるが、本発明はそのスリップオンバインディングをより便利にする事を可能としたものである。
【背景技術】
【０００２】
従来、スノーボードのバインディングはスノーボードにネジで直接固定され、それに組み合わせたヒールカップ、ハイバック、及びベルト類を用いて靴を固定するところのバインディングと、靴底部に金属の部品を組み込んで、その金具を利用してスキー靴のステップインのように作動するステップインバインディングとに分類されていた。
このうち、スキー靴のステップインを真似て開発された後者のステップインバインディングは靴の硬さが必要なシステムであり、柔らかい靴を好むスノーボーダーには受け入れられなかった。それは数年前に大がかりな宣伝と期待で市場に現れたにもかかわらず、現在スポーツショップの店頭から姿を消してしまったと言えるほど売り場面積が縮小されている事実から容易に証明できる事である。
【０００３】
そのような、ステップインバインディングの失敗から、靴を市販品から自由に選べ、かつ柔らかいまま使える事を特徴にしたスリップオンバインディングと呼ばれる方式が開発され、大きな注目を集めている。
特開平８−３０８９７７、や実用新案登録第３０９６６１０号などに代表されたこの方法は、靴を一旦ブーツホルダーに装着して、それからスノーボードに固定したスリップオン受具に着脱させるという一見、二重手間のような方法であるが、スノーボードの柔らかい靴を絶対の条件にしていたスノーボーダーたちで、しかもリフト周りでの簡単な着脱を求める人たちに大いに賞賛されますます発展を期待されている。
【０００４】
以下はスキー靴に類似した硬いブーツを利用するスノーボードに関する特許文献である。
【特許文献１】ＥＰＯー０９６６９９４
【特許文献２】ＥＰＯ０９５９７０２
【特許文献３】ＵＳＰ５０３５４４３
【特許文献４】ＵＳＰ５３５４０８８
【特許文献５】ＵＳＰ５９７１４２２
【発明の開示】
【発明が解決しようとする課題】
【０００５】
スリップオンと呼ばれるスノーボードバインディングは、装着する場合はスノーボードを踏みつけるような動作だけで行えるが、離脱させる場合、開放レバーを操作してロックを外し、ブーツホルダーを持ち上げる動作が必要である。
この開放レバーは使用状況の問題からできるだけ小さく構成する必要があった。すなわち  開放レバーを大きくすると、スケーティングと呼ばれる平坦な場所での片足での滑走時や、踏み込む前の準備動作でスリップオン受具の近くに足を移動した時に、開放レバー（Ａ）自体を足で蹴飛ばしたり、踏んでしまう事になり破損してしまう問題があった為である。
【０００６】
しかし、この開放レバーを大きな手袋をつけた状態で操作する為にはできるだけ大きいほうが楽であるという相反する問題を抱えていた。又、操作時にしゃがんむ事が必要であるが、この動作もなかなか大変な事でもあった。このような問題から開放レバー（Ａ）はできるだけ小さく、且つ立ったまま操作される方法が求められていた。
【課題を解決するための手段】
【０００７】
上記の問題を解決するための本発明は、ブーツホルダーに取り付けたリリーサーを紐、ワイヤー等を介して作動させ、リリーサーピン（４）を動かすことにより開放レバー（Ａ）を操作する事を特徴としている。
【発明の効果】
【０００８】
リリーサー紐受具（５）には、引くことで力を伝える為のナイロン紐、ワイヤー等が連結されるが、当然、手で引く部分は、持ちやすい形状、大きさ、材質のリリーサー取手（Ｌ）が組み合わせられるのであるが、この部分は周知の材質、方法の部分であるため本発明の説明では詳細は省かれているが、参考までに一例をあげると、中間に紐を通すリングを有した保持ベルト（Ｎ）をつけ、手で持つ部分に小さなマスコットをつけたナイロン紐があげられる。途中に紐がブラブラしない様に保持するためには、ナイロン紐を通すリングを数箇所ウェアーに直接に縫い着ける等も考えられるが、長さ、位置が自由にでき、価格的にも安価になる便利さがある。
【０００９】
ワイヤーの場合は、自転車のブレーキなどに使われる構造、材質の、コイルで保持されているカバー付ワイヤー（Ｍ）が考えられるが、途中で絡んだりすることがなく、操作しやすいので便利である、これらのワイヤー、紐から上方向に引く力を加えられることにより、リリーサーピン（４）は開放レバー（Ａ）に作用し、結果としてロックを解除する事が立ったまま可能となる。
【発明を実施するための最良の形態】
【００１０】
リリーサー基盤（１）及び各部品は、高機能プラスチックやアルミニュウム等の材質で構成され軽量化される事が望ましいのは当然であるが、開放レバー（Ａ）とブーツホルダーピラー（Ｄ）との隙間に収まるべく各板圧、大きさ考慮して構成される。開放レバー（Ａ）は下から上に持ち上げるように作動してロックを開放する場合と、上から下に押し下げられてロックを開放する場合があるが、図１においては前者の例での配置を用いて説明した。
【００１１】
すなわちリリーサー紐受具（５）を上方向に引く事により、リリーサーピン（４）は下方に回転を始めやがて、開放レバー（Ａ）の下側に回りこむ、しかる後、開放レバー先端部に作用して持ち上げるように動作する事になる。リリーサー回転盤（２）は内側に組み込まれたスプリングにより元の位置に戻るように構成されるが、スプリングの種類、位置は多くの方法が周知の事であり、発明の本質ではないので、本説明では一例を挙げるにとどめる。
【００１２】
本実施例では、リリーサー回転盤（２）の内側、側面を凹状に旋削しその隙間に外周に近い大きさの巻きバネを組込んである。
リリーサーピン（４）のリリーサー回転盤（２）に対する取り付け方法はネジを利用することや、溶接で固定する方法も考えられるが、いずれも分割して製作した部品をあとから接合する方法が望ましい。リリーサー回転盤の外周にワイヤを巻きつけるべく溝を掘る加工上の問題から、一体に成型することは不合理である。又、リリーサーピン（４）の形状は必ずしも丸棒とは限られず、開放レバー（Ａ）の先端形状に合わせた合理的な形状が選ばれ、かつ、リリーサー回転盤（２）の外周から飛び出した位置関係になる事も可能である
【００１３】
このような構成はリリーサーピン（４）が通常は開放レバーの占める空間外に位置している事を可能とする重要な目的である。
すなわち、開放レバー（Ａ）を下から持ち上げる場合は絶対的に必要な条件であり、ブーツホルダーを装着した時に、開放レバー（Ａ）、とリリーサーピン（４）が衝突することがないように、お互いが異なる動線上に位置していることが求められるからである。
【００１４】
図２はリリーサーの側面図であり、図３はリリーサーの断面図である。リリーサーピン（４）の回転方向と回転角度はリリーサーワイヤ（６）の巻き方向と巻き回数で自由に決められる事は大きな特徴であり、図２においては巻き方向を図１とは異なる方向で示している。リリーサーピン（４）とリリーサーワイヤ止め（８）の位置は当然自由に決められるものであり、特にリリーサーピン（４）の位置は、その取り付け方法を考慮すればリリーサー回転盤（２）の半径を超えた位置でも可能である。
リリーサー基盤（１）はブーツホルダーピラー（Ｄ）と一体に成形して構成することも考えられる。
【００１５】
図４は、請求項３における本発明の説明図であって、開放レバー（Ａ）を上から下に押し下げる事によりロックを外す構成の場合に有効となる。開放レバー（Ａ）の位置に対してリリーサーピンは（４）は常に上に位置しているため、踏みつけて装着する場合にお互いが干渉する事がない。作動する場合だけリリーサーピン（４）が下がってきて開放レバー（Ａ）を押し下げる為である。リリーサーピン固定竿（９）は必要な長さと軸の中心位置を決めればよく単純なてこの作用で動作する。当然組み合わせるバネの種類も自由に選択可能であり、製造価格的に有利なものである。リリーサーピンは（４）はリリーサーピン固定竿（９）の一端を折り曲げて代用することもありえる。
【００１６】
コネクティングロッド（１０）はリリーサー紐受具（５）とリリーサーピン固定竿（９）をリンク機構として連結するものであり、各支点部はスムーズに作動すべく構成される。また、一定の位置に戻るべく、バネを介している為にワイヤーを代用する事も可能となる。すなわちバネの力で緩まない方向に張力をかけておくことが可能なためである。
【００１７】
図５は請求項４における実施例を示す。カバー付ワイヤー（Ｍ）は自転車のブレーキにも使用されている公知のものである。ワイヤーの一端に、手で引く時の動作が容易になるようにリリーサー取手（Ｌ）を取り付け、他端をリリーサー紐受具（５）に連結する。連結方法は特別に制約を受けるものではなく公知のどのような方法も選択できる。保持ベルト（Ｎ）は膝上部付近に巻き付けて固定できるマジックベルト(商品名）などが有効であるが、ウエアーに専用の保持部を設けておき、保持ベルトの役を担わせる事も可能である、いづれにしろカバー付ワイヤー（Ｍ）の上部を保持し、リリーサー取手（Ｌ）を膝付近に保持して置く目的を達成すればよい。
【産業上の利用可能性】
【００１８】
本発明によりソフトタイプのブーツを利用するスノーボードにおけるスリップオンバインディングの操作性が格段に向上し、開放レバーを最小限に縮小する事も可能となり誤動作による破損も防止することが可能となった。
【図面の簡単な説明】
【００１９】
【図１】請求項１の実施例を示した側面図である。
【図２】請求項２の実施例を示したリリーサーの側面図である。
【図３】請求項２の実施例を示したリリーサーの断面図である。
【図４】請求項３の実施方法を示した説明図である。
【図５】請求項４の実施方法を示した説明図である。
【符号の説明】
【００２０】
１    リリーサー基盤
２    リリーサー回転盤
３    リリーサー回転盤軸
４    リリーサーピン
５    リリーサー紐受具
６    リリーサーワイヤ
７    リリーサー固定用ネジ穴
８    リリーサーワイヤ止め
９    リリーサーピン固定竿
１０  コネクティングロッド
Ａ    開放レバー
Ｂ    スリップオンベース
Ｃ    ロックピン
Ｄ    ブーツホルダーピラー
Ｅ    ハイバック 
Ｇ    踵ウレタン部
Ｈ    ヒールカップ
Ｊ    トウストラップ取付穴
Ｋ    つま先ウレタン部
Ｌ    リリーサー取手
Ｍ    カバー付ワイヤー
Ｎ    保持ベルト
Ｓ    スノーボード
【図１】
2006288850.tif 000003
【図２】
2006288850.tif 000004
【図３】
2006288850.tif 000005
【図４】
2006288850.tif 000006
【図５】
2006288850.tif 000007